【手続補正書】
【提出日】平成20年4月4日(2008.4.4)
【手続補正１】
【補正対象書類名】明細書
【補正対象項目名】特許請求の範囲
【補正方法】変更
【補正の内容】
【特許請求の範囲】
【請求項１】  光源手段から出射した光ビームを偏向する偏向手段と、前記偏向手段で偏向された光ビームを被走査面上に結像させるプラスチック製の走査光学手段と、を有する光走査装置において、
前記光源手段の発振波長は、３８０ｎｍ〜５００ｎｍの範囲内であり、
前記走査光学手段は、少なくとも一つの屈折面と少なくとも一つの回折面を有し、前記屈折面の主走査方向の合成パワーをΦr、前記回折面の主走査方向の合成パワーをΦd、前記光源手段の発振波長に対する屈折面を形成する光学素子の材質の屈折率の変化率をｄｎ/ｄλ(/nm)としたとき、
−２．３７×１０-3(/nm)＜（Φr／Φd）×（ｄｎ/ｄλ）＜−０．９×１０-3(/nm)
なる条件を満足することを特徴とする光走査装置。
【請求項２】  前記走査光学手段は、
−２．２５×１０-3(/nm)＜（Φr／Φd）×（ｄｎ/ｄλ）＜−１．３０×１０-3(/nm)
なる条件を満足することを特徴とする請求項１に記載の光走査装置。
【請求項３】  光源手段から出射した光ビームを偏向する偏向手段と、前記偏向手段で偏向された光ビームを被走査面上に結像させるプラスチック製の走査光学手段と、を有する光走査装置において、
前記光源手段の発振波長は、３８０ｎｍ〜５００ｎｍの範囲内であり、
前記走査光学手段は少なくとも一つの屈折面と少なくとも一つの回折面を有し、前記屈折面の副走査方向の合成パワーをψr、前記回折面の副走査方向の合成パワーをψd、温度に対する前記光源手段の発振波長の変化率をｄλ/ｄｔ(nm/℃)としたとき、
１５．０(℃/nm)＜ψr／[ψd×（ｄλ/ｄｔ）]＜４５．０(℃/nm)
なる条件を満足することを特徴とする光走査装置。
【請求項４】  前記走査光学手段は、
１８．０(℃/nm)＜ψr／[ψd×（ｄλ/ｄｔ）]＜３８．０(℃/nm)
なる条件を満足することを特徴とする請求項３に記載の光走査装置。
【請求項５】  光源手段から出射した光ビームを偏向する偏向手段と、前記偏向手段で偏向された光ビームを被走査面上に結像させるプラスチック製の走査光学手段と、を有する光走査装置において、
前記光源手段の発振波長は、３８０ｎｍ〜５００ｎｍの範囲内であり、
前記走査光学手段は、少なくとも一つの屈折面と少なくとも一つの回折面を有し、前記屈折面の主走査方向の合成パワーをΦr、前記回折面の主走査方向の合成パワーをΦd、前記光源手段の発振波長に対する屈折面を形成する光学素子の材質の屈折率の変化率をｄｎ/ｄλ(/nm)、前記屈折面の副走査方向の合成パワーをψr、前記回折面の副走査方向の合成パワーをψd、温度に対する前記光源手段の発振波長の変化率をｄλ/ｄｔ(nm/℃)としたとき、
−２．３７×１０-3(/nm)＜（Φr／Φd）×(ｄｎ/ｄλ)＜−０．９×１０-3(/nm)
１５．０(℃/nm)＜ψr／[ψd×（ｄλ/ｄｔ）]＜４５．０(℃/nm)
なる条件を満足することを特徴とする光走査装置。
【請求項６】  前記走査光学手段は、
−２．２５×１０-3(/nm)＜（Φr／Φd）×（ｄｎ/ｄλ）＜−１．３０×１０-3(/nm)
１８．０(℃/nm)＜ψr／[ψd×（ｄλ/ｄｔ）]＜３８．０(℃/nm)
なる条件を満足することを特徴とする請求項５に記載の光走査装置。
【請求項７】  前記光源手段は、複数の発光点を有するモノリシックなマルチビームレーザーを有していることを特徴とする請求項１乃至６の何れか１項に記載の光走査装置。
【請求項８】  請求項１乃至７の何れか１項に記載の光走査装置と、前記被走査面に配置された感光体と、前記光走査装置で走査された光ビームによって前記感光体に形成された静電潜像をトナー像として現像する現像器と、現像されたトナー像を被転写材に転写する転写器と、転写されたトナー像を被転写材に定着させる定着器とを有することを特徴とする画像形成装置。
【請求項９】  請求項１乃至７の何れか１項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００２３
【補正方法】変更
【補正の内容】
【００２３】
【課題を解決するための手段】  
請求項１の発明の光走査装置は、光源手段から出射した光ビームを偏向する偏向手段と、前記偏向手段で偏向された光ビームを被走査面上に結像させるプラスチック製の走査光学手段と、を有する光走査装置において、
前記光源手段の発振波長は、３８０ｎｍ〜５００ｎｍの範囲内であり、
前記走査光学手段は、少なくとも一つの屈折面と少なくとも一つの回折面を有し、前記屈折面の主走査方向の合成パワーをΦr、前記回折面の主走査方向の合成パワーをΦd、前記光源手段の発振波長に対する屈折面を形成する光学素子の材質の屈折率の変化率をｄｎ/ｄλ(/nm)としたとき、
−２．３７×１０-3(/nm)＜（Φr／Φd）×（ｄｎ/ｄλ）＜−０．９×１０-3(/nm)
なる条件を満足することを特徴としている。
【手続補正３】
【補正対象書類名】明細書
【補正対象項目名】００２４
【補正方法】変更
【補正の内容】
【００２４】
請求項２の発明は請求項１の発明において、前記走査光学手段は、
−２．２５×１０-3(/nm)＜（Φr／Φd）×（ｄｎ/ｄλ）＜−１．３０×１０-3(/nm)
なる条件を満足することを特徴としている。
【手続補正４】
【補正対象書類名】明細書
【補正対象項目名】００２５
【補正方法】変更
【補正の内容】
【００２５】
請求項３の発明の光走査装置は、光源手段から出射した光ビームを偏向する偏向手段と、前記偏向手段で偏向された光ビームを被走査面上に結像させるプラスチック製の走査光学手段と、を有する光走査装置において、
前記光源手段の発振波長は、３８０ｎｍ〜５００ｎｍの範囲内であり、
前記走査光学手段は少なくとも一つの屈折面と少なくとも一つの回折面を有し、前記屈折面の副走査方向の合成パワーをψr、前記回折面の副走査方向の合成パワーをψd、温度に対する前記光源手段の発振波長の変化率をｄλ/ｄｔ(nm/℃)としたとき、
１５．０(℃/nm)＜ψr／[ψd×（ｄλ/ｄｔ）]＜４５．０(℃/nm)
なる条件を満足することを特徴としている。
【手続補正５】
【補正対象書類名】明細書
【補正対象項目名】００２６
【補正方法】変更
【補正の内容】
【００２６】
請求項４の発明は請求項３の発明において、前記走査光学手段は、
１８．０(℃/nm)＜ψr／[ψd×（ｄλ/ｄｔ）]＜３８．０(℃/nm)
なる条件を満足することを特徴としている。
【手続補正６】
【補正対象書類名】明細書
【補正対象項目名】００２７
【補正方法】変更
【補正の内容】
【００２７】
請求項５の発明の光走査装置は、光源手段から出射した光ビームを偏向する偏向手段と、前記偏向手段で偏向された光ビームを被走査面上に結像させるプラスチック製の走査光学手段と、を有する光走査装置において、
前記光源手段の発振波長は、３８０ｎｍ〜５００ｎｍの範囲内であり、
前記走査光学手段は、少なくとも一つの屈折面と少なくとも一つの回折面を有し、前記屈折面の主走査方向の合成パワーをΦr、前記回折面の主走査方向の合成パワーをΦd、前記光源手段の発振波長に対する屈折面を形成する光学素子の材質の屈折率の変化率をｄｎ/ｄλ(/nm)、前記屈折面の副走査方向の合成パワーをψr、前記回折面の副走査方向の合成パワーをψd、温度に対する前記光源手段の発振波長の変化率をｄλ/ｄｔ(nm/℃)としたとき、
−２．３７×１０-3(/nm)＜（Φr／Φd）×(ｄｎ/ｄλ)＜−０．９×１０-3(/nm)
１５．０(℃/nm)＜ψr／[ψd×（ｄλ/ｄｔ）]＜４５．０(℃/nm)
なる条件を満足することを特徴としている。
【手続補正７】
【補正対象書類名】明細書
【補正対象項目名】００２８
【補正方法】変更
【補正の内容】
【００２８】
請求項６の発明は請求項５の発明において、前記走査光学手段は、
−２．２５×１０-3(/nm)＜（Φr／Φd）×（ｄｎ/ｄλ）＜−１．３０×１０-3(/nm)
１８．０(℃/nm)＜ψr／[ψd×（ｄλ/ｄｔ）]＜３８．０(℃/nm)
なる条件を満足することを特徴としている。
【手続補正８】
【補正対象書類名】明細書
【補正対象項目名】００２９
【補正方法】変更
【補正の内容】
【００２９】
請求項７の発明は請求項１乃至６の何れか１項の発明において、前記光源手段は、複数の発光点を有するモノリシックなマルチビームレーザーを有していることを特徴としている。
【手続補正９】
【補正対象書類名】明細書
【補正対象項目名】００３０
【補正方法】変更
【補正の内容】
【００３０】
請求項８の発明の画像形成装置は、請求項１乃至７の何れか１項に記載の光走査装置と、前記被走査面に配置された感光体と、前記光走査装置で走査された光ビームによって前記感光体に形成された静電潜像をトナー像として現像する現像器と、現像されたトナー像を被転写材に転写する転写器と、転写されたトナー像を被転写材に定着させる定着器とを有することを特徴としている。
【手続補正１０】
【補正対象書類名】明細書
【補正対象項目名】００３１
【補正方法】変更
【補正の内容】
【００３１】
請求項９の発明の画像形成装置は、請求項１乃至７の何れか１項に記載の光走査装置と、外部機器から入力したコードデータを画像信号に変換して前記光走査装置に入力せしめるプリンタコントローラとを有していることを特徴としている。
【手続補正１１】
【補正対象書類名】明細書
【補正対象項目名】００３２
【補正方法】削除
【補正の内容】
【手続補正１２】
【補正対象書類名】明細書
【補正対象項目名】００３３
【補正方法】削除
【補正の内容】
【手続補正１３】
【補正対象書類名】明細書
【補正対象項目名】００３４
【補正方法】削除
【補正の内容】
【手続補正１４】
【補正対象書類名】明細書
【補正対象項目名】００３５
【補正方法】削除
【補正の内容】
【手続補正１５】
【補正対象書類名】明細書
【補正対象項目名】００３６
【補正方法】削除
【補正の内容】
【手続補正１６】
【補正対象書類名】明細書
【補正対象項目名】００３７
【補正方法】削除
【補正の内容】
【手続補正１７】
【補正対象書類名】明細書
【補正対象項目名】００３８
【補正方法】削除
【補正の内容】
【手続補正１８】
【補正対象書類名】明細書
【補正対象項目名】００３９
【補正方法】削除
【補正の内容】
【手続補正１９】
【補正対象書類名】明細書
【補正対象項目名】００４０
【補正方法】削除
【補正の内容】
【手続補正２０】
【補正対象書類名】明細書
【補正対象項目名】００４１
【補正方法】削除
【補正の内容】
【手続補正２１】
【補正対象書類名】明細書
【補正対象項目名】００４２
【補正方法】削除
【補正の内容】
【手続補正２２】
【補正対象書類名】明細書
【補正対象項目名】００４３
【補正方法】削除
【補正の内容】
【手続補正２３】
【補正対象書類名】明細書
【補正対象項目名】００４４
【補正方法】削除
【補正の内容】
【手続補正２４】
【補正対象書類名】明細書
【補正対象項目名】００４５
【補正方法】削除
【補正の内容】
【手続補正２５】
【補正対象書類名】明細書
【補正対象項目名】００４６
【補正方法】削除
【補正の内容】
【手続補正２６】
【補正対象書類名】明細書
【補正対象項目名】００４７
【補正方法】削除
【補正の内容】
【手続補正２７】
【補正対象書類名】明細書
【補正対象項目名】００４８
【補正方法】削除
【補正の内容】
【手続補正２８】
【補正対象書類名】明細書
【補正対象項目名】００４９
【補正方法】削除
【補正の内容】
【手続補正２９】
【補正対象書類名】明細書
【補正対象項目名】００５０
【補正方法】削除
【補正の内容】
【手続補正３０】
【補正対象書類名】明細書
【補正対象項目名】００５１
【補正方法】削除
【補正の内容】
【手続補正３１】
【補正対象書類名】明細書
【補正対象項目名】００５２
【補正方法】削除
【補正の内容】
【手続補正３２】
【補正対象書類名】明細書
【補正対象項目名】００５３
【補正方法】削除
【補正の内容】
【手続補正３３】
【補正対象書類名】明細書
【補正対象項目名】００５４
【補正方法】削除
【補正の内容】
【手続補正３４】
【補正対象書類名】明細書
【補正対象項目名】００５５
【補正方法】削除
【補正の内容】
【手続補正３５】
【補正対象書類名】明細書
【補正対象項目名】００５６
【補正方法】削除
【補正の内容】
【手続補正３６】
【補正対象書類名】明細書
【補正対象項目名】０１６０
【補正方法】変更
【補正の内容】
【０１６０】
現像器１０７によって現像されたトナー像は、感光ドラム１０１の下方で、感光ドラム１０１に対向するように配設された転写ローラ（転写器）１０８によって被転写材たる用紙１１２上に転写される。用紙１１２は感光ドラム１０１の前方（図１５において右側）の用紙カセット１０９内に収納されているが、手差しでも給紙が可能である。用紙カセット１０９端部には、給紙ローラ１１０が配設されており、用紙カセット１０９内の用紙１１２を搬送路へ送り込む。